(57)【要約】【課題】トランシーバおよび生体等の電界伝達媒体を用いて複数の情報を同時に送信し、または同時に受信することができる情報送受信システムを提供する。【解決手段】生体２０に当接または近接された受信電極４０を有するトランシーバ２１を介して情報の送受信を行う情報送受信システム１０。複数の送受信用電極パッド３（１，１）〜３（ｍ，ｎ）と、送信対象となる複数の情報に対応する複数の電気信号を複数の送受信用電極パッド３（１，１）〜３（ｍ，ｎ）にそれぞれ送信して、複数の電気信号それぞれに対応する複数の電界を複数の電極パッド３（１，１）〜３（ｍ，ｎ）それぞれに誘起する手段と、トランシーバ２１に搭載されており、生体２０により、複数の電極パッド３（１，１）〜３（ｍ，ｎ）の内の何れか１つの電極パッドが選択して接触された場合に、選択された電極パッドに誘起された電界に基づいて生体２０に誘起された電界をトランシーバ２１の受信電極４０を介して受信する受信部４２および特定波形抽出回路４８と、を備えている。【選択図】　　　図２
2004135075.tif 000002
【特許請求の範囲】
【請求項１】
電界伝達媒体に当接または近接された電極を有するトランシーバを介して情報の送受信を行う情報送受信システムであって、
複数の送受信用電極部と、
送信対象となる複数の情報に対応する複数の電気信号を前記複数の送受信用電極部にそれぞれ送信して、前記複数の電気信号それぞれに対応する複数の電界を前記複数の送受信用電極部それぞれに誘起する手段と、
前記トランシーバに搭載されており、前記電界伝達媒体により、前記複数の送受信用電極部の内の何れか１つの送受信用電極部が選択して接触された場合に、選択された送受信用電極部に誘起された電界に基づいて当該電界伝達媒体に誘起された電界を前記トランシーバの電極を介して受信する第１の受信手段と、
を備えたことを特徴とする情報送受信システム。
【請求項２】
前記第１の受信手段は、前記複数の送受信用電極部それぞれに対応する複数の電気信号それぞれの波形パターンを表すパターン情報を、当該電極それぞれの識別情報に対応付けて記憶する第１の記憶手段と、
前記電界伝達媒体により前記複数の送受信用電極部が選択して接触された際に、前記選択された複数の送受信用電極部に誘起された複数の電界に基づいて当該電界伝達媒体に誘起された複数の電界を前記トランシーバの電極を介して受信する手段と、
受信された複数の電界に対応する複数の電気信号を、前記第１の記憶手段に記憶されたパターン情報を参照して波形分離し、波形分離されたそれぞれの電気信号を複数の情報として抽出する手段と、
を備えたことを特徴とする請求項１記載の情報送受信システム。
【請求項３】
前記送受信用電極部に接続された通信機器と、
前記トランシーバに搭載されており、送信対象となる情報に対応する電気信号を当該トランシーバの電極に送信して、前記電気信号に対応する電界を前記電極に誘起する手段と、
前記電界伝達媒体により前記複数の送受信用電極部における何れか１つの送受信用電極部が選択して接触された際に、前記トランシーバの電極に誘起された電界に対応して当該電界伝達媒体に誘起された電界を前記選択された送受信用電極部を介して受信し、前記通信機器に送信する第２の受信手段と、
を備えたことを特徴とする請求項１または２記載の情報送受信システム。
【請求項４】
前記電界伝達媒体は前記通信機器を利用可能な複数のユーザの内の１人であり、
前記第２の受信手段は、前記複数のユーザそれぞれの個別情報およびユーザそれぞれに対応する前記複数の送受信用電極部の選択パターンを表す選択パターン情報を互いに対応付けて記憶する第２の記憶手段と、
前記複数のユーザの内の１人により前記複数の送受信用電極部が選択して接触された際に、前記選択された複数の送受信用電極部に誘起された複数の電界に対応して当該ユーザに誘起された複数の電界を前記送受信用電極部を介して受信し、前記通信機器に送信する手段と、
受信された複数の電界に対応する複数の電気信号に対応する情報が前記第２の記憶手段に記憶された複数の個別情報の何れかと一致するか否か判断する第１の判断手段と、
この第１の判断手段により一致すると判断された場合に、前記複数のユーザの内の１人に選択して接触された複数の送受信用電極部に対応する選択パターン情報と前記一致した個別情報に対応するユーザの送受信用電極部の選択パターンとが一致するか否か判断する第２の判断手段と、
を備えたことを特徴とする請求項３記載の情報送受信システム。
【請求項５】
前記複数の送受信用電極部はマトリクス状に配列されており、
各送受信用電極部は、送受信用電極と、この送受信用電極上に取り付けられた絶縁体部材とをそれぞれ備えたことを特徴とする請求項１乃至４の内の何れか１項記載の情報送受信システム。
【請求項６】
電界伝達媒体に当接または近接された電極を有するトランシーバを介して情報の送受信を行う情報送受信システムであって、
複数の送信用電極と、
前記複数の送信用電極それぞれに対応し、かつ当該複数の送信用電極とは非接触な状態で配置された複数の受信用電極と、
前記互いに対応する複数の送信用電極および受信用電極上にそれぞれ設けられた複数の送絶縁体部材と、
送信対象となる複数の情報に対応する複数の電圧信号を前記複数の送信用電極にそれぞれ送信して、前記複数の電圧信号それぞれに対応する複数の電界を前記複数の送信用電極それぞれに誘起する手段と、
前記トランシーバに搭載されており、前記電界伝達媒体により前記複数の送信用電極の内の何れか１つの送信用電極が選択して接触された際に、前記選択された送信用電極に誘起された電界に対応して当該電界伝達媒体に誘起された電界を前記トランシーバの電極を介して受信する第１の受信手段と、
前記複数の受信用電極それぞれに接続された通信機器と、
前記トランシーバに搭載されており、送信対象となる情報に対応する電圧信号を当該トランシーバの電極に送信して、前記電圧信号に対応する電界を前記電極に誘起する手段と、
前記電界伝達媒体により前記複数の受信用電極の内の何れか１つの受信用電極が選択して接触された際に、前記トランシーバの電極に誘起された電界に対応して当該電界伝達媒体に誘起された電界を前記選択された受信用電極を介して受信し、前記通信機器に送信する第２の受信手段と、
を備えたことを特徴とする情報送受信システム。
【発明の詳細な説明】
【０００１】
【発明の属する技術分野】
本発明は、電界伝達媒体に当接または近接された電極を有するトランシーバを介して情報の送受信を行う情報送受信システムに関する。
【０００２】
【従来の技術】
ユピキタス社会の到来を迎え、ウェアラブルコンピュータ（身体に装着可能なコンピュータ）が注目を浴びている。
【０００３】
そして、このウェアラブルコンピュータと他のコンピュータ（他のウェアラブルコンピュータ等）との間の情報通信手段として、ウェアラブルコンピュータが装着された生体を電界伝達媒体として利用して情報を送受信するトランシーバの研究・開発が進められている（例えば、特許文献１参照）。
【０００４】
【特許文献１】
特開２００１−３５２２９８号公報（第５−１０頁、第１図〜第４図）。
【０００５】
【発明が解決しようとする課題】
しかしながら、生体を電界伝達媒体として利用して情報をトランシーバを介して送受信するシステムにおいては、そのトランシーバに対して生体を介して複数の情報を同時に送信し、また、トランシーバから送信された複数の情報を生体を介して同時に受信することが困難であり、トランシーバおよび生体を用いて複数の情報を同時に送信し、または同時に受信することができる情報送受信システムの開発が求められていた。
【０００６】
本発明は、上述した事情に鑑みてなされたもので、トランシーバおよび生体等の電界伝達媒体を用いて複数の情報を同時に送信し、または同時に受信することができる情報送受信システムを提供することをその目的とする。
【０００７】
【課題を解決するための手段】
上述した目的を達成するため、本発明によれば、請求項１に記載したように、電界伝達媒体に当接または近接された電極を有するトランシーバを介して情報の送受信を行う情報送受信システムであって、複数の送受信用電極部と、送信対象となる複数の情報に対応する複数の電気信号を前記複数の送受信用電極部にそれぞれ送信して、前記複数の電気信号それぞれに対応する複数の電界を前記複数の送受信用電極部それぞれに誘起する手段と、前記トランシーバに搭載されており、前記電界伝達媒体により、前記複数の送受信用電極部の内の何れか１つの送受信用電極部が選択して接触された場合に、選択された送受信用電極部に誘起された電界に基づいて当該電界伝達媒体に誘起された電界を前記トランシーバの電極を介して受信する第１の受信手段と、を備えている。
【０００８】
本発明によれば、請求項２に記載したように、前記第１の受信手段は、前記複数の送受信用電極部それぞれに対応する複数の電気信号それぞれの波形パターンを表すパターン情報を、当該電極それぞれの識別情報に対応付けて記憶する第１の記憶手段と、前記電界伝達媒体により前記複数の送受信用電極部が選択して接触された際に、前記選択された複数の送受信用電極部に誘起された複数の電界に基づいて当該電界伝達媒体に誘起された複数の電界を前記トランシーバの電極を介して受信する手段と、受信された複数の電界に対応する複数の電気信号を、前記第１の記憶手段に記憶されたパターン情報を参照して波形分離し、波形分離されたそれぞれの電気信号を複数の情報として抽出する手段と、を備えている。
【０００９】
本発明によれば、請求項３に記載したように、前記送受信用電極部に接続された通信機器と、前記トランシーバに搭載されており、送信対象となる情報に対応する電気信号を当該トランシーバの電極に送信して、前記電気信号に対応する電界を前記電極に誘起する手段と、前記電界伝達媒体により前記複数の送受信用電極部における何れか１つの送受信用電極部が選択して接触された際に、前記トランシーバの電極に誘起された電界に対応して当該電界伝達媒体に誘起された電界を前記選択された送受信用電極部を介して受信し、前記通信機器に送信する第２の受信手段と、を備えている。
【００１０】
本発明によれば、請求項４に記載したように、前記電界伝達媒体は前記通信機器を利用可能な複数のユーザの内の１人であり、前記第２の受信手段は、前記複数のユーザそれぞれの個別情報およびユーザそれぞれに対応する前記複数の送受信用電極部の選択パターンを表す選択パターン情報を互いに対応付けて記憶する第２の記憶手段と、前記複数のユーザの内の１人により前記複数の送受信用電極部が選択して接触された際に、前記選択された複数の送受信用電極部に誘起された複数の電界に対応して当該ユーザに誘起された複数の電界を前記送受信用電極部を介して受信し、前記通信機器に送信する手段と、受信された複数の電界に対応する複数の電気信号に対応する情報が前記第２の記憶手段に記憶された複数の個別情報の何れかと一致するか否か判断する第１の判断手段と、この第１の判断手段により一致すると判断された場合に、前記複数のユーザの内の１人に選択して接触された複数の送受信用電極部に対応する選択パターン情報と前記一致した個別情報に対応するユーザの送受信用電極部の選択パターンとが一致するか否か判断する第２の判断手段と、を備えている。
【００１１】
本発明によれば、請求項５に記載したように、前記複数の送受信用電極部はマトリクス状に配列されており、各送受信用電極部は、送受信用電極と、この送受信用電極上に取り付けられた絶縁体部材とをそれぞれ備えている。
【００１２】
本発明によれば、請求項６に記載したように、電界伝達媒体に当接または近接された電極を有するトランシーバを介して情報の送受信を行う情報送受信システムであって、複数の送信用電極と、前記複数の送信用電極それぞれに対応し、かつ当該複数の送信用電極とは非接触な状態で配置された複数の受信用電極と、前記互いに対応する複数の送信用電極および受信用電極上にそれぞれ設けられた複数の送絶縁体部材と、送信対象となる複数の情報に対応する複数の電圧信号を前記複数の送信用電極にそれぞれ送信して、前記複数の電圧信号それぞれに対応する複数の電界を前記複数の送信用電極それぞれに誘起する手段と、前記トランシーバに搭載されており、前記電界伝達媒体により前記複数の送信用電極の内の何れか１つの送信用電極が選択して接触された際に、前記選択された送信用電極に誘起された電界に対応して当該電界伝達媒体に誘起された電界を前記トランシーバの電極を介して受信する第１の受信手段と、前記複数の受信用電極それぞれに接続された通信機器と、前記トランシーバに搭載されており、送信対象となる情報に対応する電圧信号を当該トランシーバの電極に送信して、前記電圧信号に対応する電界を前記電極に誘起する手段と、前記電界伝達媒体により前記複数の受信用電極の内の何れか１つの受信用電極が選択して接触された際に、前記トランシーバの電極に誘起された電界に対応して当該電界伝達媒体に誘起された電界を前記選択された受信用電極を介して受信し、前記通信機器に送信する第２の受信手段と、を備えている。
【００１３】
【発明の実施の形態】
図１は、本発明に係る情報送受信システムにおける情報入出力装置１の概略構成を示す斜視図である。
【００１４】
図１に示すように、情報入出力装置１は、その上面が開口である方形体状のケース２と、このケース２の底面にマトリクス状｛行方向（ｘ方向）ｍ、列方向（ｙ方向）ｎのｍ×ｎのマトリクス状；ｍ、ｎは２以上の整数｝に互いに非接触状態で配設された複数の送受信用電極部である電極パッド３（１，１）〜３（ｍ，ｎ）とを備えている。なお、３（１，１）は、１行１列目の電極パッドを表している。
【００１５】
各電極パッド３（１，１）〜３（ｍ，ｎ）は、略円筒状に形成されており、図１に示すように、ケース２の底面に配設された略円筒状の送受信電極５と、この送受信用電極５上を被覆する例えばゴム等のフレキシブルな絶縁体部材である絶縁膜６とを備えている。なお、複数の電極パッド３（１，１）〜３（ｍ，ｎ）それぞれの送受信電極５には、送受信用信号線が接続されており、この信号線は、ケース２内部から外部へ引き出されている。
【００１６】
図２は、図１に示す情報入出力装置１を用いた情報送受信システム１０の概略構成を示す図である。
【００１７】
すなわち、図２に示すように、情報送受信システム１０は、上記電極パッド３（１，１）〜３（ｍ，ｎ）毎に設けられており、ウェアラブルコンピュータ等の通信機器１１と通信可能であり、通信機器１１に対する情報送受信機能を有する情報送受信部１２ａ（１，１）〜１２ａ（ｍ，ｎ）を備え、この情報送受信部１２ａ（１，１）〜１２ａ（ｍ，ｎ）は、対応する電極パッド３（１，１）〜３（ｍ，ｎ）の送受信用電極５に送信用信号線を介してそれぞれ接続されている。
【００１８】
各情報送受信部１２ａ１〜１２ａｋは、図２に示すように、通信機器１１から送信された情報である送信データを入力するＩ／Ｏ（Ｉｎｐｕｔ／Ｏｕｔｐｕｔ；入出力）回路３０と、このＩ／Ｏ回路３０に接続されており、Ｉ／Ｏ回路３０を介して入力された送信データを、各情報送受信部１２ａ（１，１）〜１２ａ（ｍ，ｎ）毎に異なる波形パターン（例えば、周波数、位相等が異なる波形、本実施形態では周波数が異なるものとする）を有する電気信号を用いて変調し、その電気信号を各電極パッド３（１，１）〜３（ｍ，ｎ）の送受信用電極５に送信する送信部３２とを備えている。
【００１９】
この各情報送受信部１２ａ（１，１）〜１２ａ（ｍ，ｎ）の送信部３２の処理により、各電極パッド３（１，１）〜３（ｍ，ｎ）の送受信用電極５には、各電極パッド毎に異なる波形パターンを有する電圧信号に対応する電界が誘起されている。
【００２０】
また、各情報送受信部１２ａ（１，１）〜１２ａ（ｍ，ｎ）は、図２に示すように、対応する電極パッド３（１，１）〜３（ｍ，ｎ）の送受信用電極５に受信用信号線を介してそれぞれ接続されており、受信用信号線を介して伝達された電界を受信するための受信部３３を備えている。
【００２１】
すなわち、受信部３３は、受信用信号線を介して送受信電極５に接続されており、送受信用電極５および受信用信号線を介して入力された電界を、例えば電気光学効果（ポッケルス効果）を用いて光学的に検出し、電気信号に変換して出力する電界検出光学部３４と、この電界検出光学部３４に接続されており、電界検出光学部３４から出力された電気信号に対して、増幅処理および雑音除去（フィルタリング）処理等の信号処理を施す信号処理回路３６とを備えている。
【００２２】
さらに、各情報送受信部１２ａ（１，１）〜１２ａ（ｍ，ｎ）は、信号処理回路３６に接続され、この信号処理回路３６により信号処理された電気信号に対して波形整形処理を施し、Ｉ／Ｏ回路３０の信号レベルに対応する電気信号に変換し、その電気信号を受信データとしてＩ／Ｏ回路３０に送信する波形整形回路３８を備えており、Ｉ／Ｏ回路３０は、波形整形回路３８から送信されてきた受信データを通信機器１１に送信する機能を有している。
【００２３】
一方、電界伝達媒体である生体２０には、トランシーバ２１およウェアラブルコンピュータ等の情報処理回路２２がそれぞれ装着されている。
【００２４】
トランシーバ２１は、図２に示すように、例えばゴム等のフレキシブルな絶縁体部材である絶縁膜３９により例えばその一表面が被覆されている受信電極４０を備えており、この受信電極４０は、絶縁膜３９を介して電界伝達媒体としての例えば生体２０に接触されている。
【００２５】
また、トランシーバ２１は、受信電極４０に接続されており、生体２０に誘起され受信電極４０を介して伝達された電界を受信するための受信部４２を備えている。
【００２６】
すなわち、受信部４２は、受信電極４０を介して伝達された電界（電圧信号）を、例えば電気光学効果を用いて光学的に検出し、電気信号に変換して出力する電界検出光学部４４と、この電界検出光学部４４に接続されており、電界検出光学部４４から出力された電気信号に対して、増幅処理および雑音除去（フィルタリング）処理等の信号処理を施す信号処理回路４６とを備えている。
【００２７】
さらに、トランシーバ２１は、信号処理回路４６により信号処理された電気信号から特定の波形パターンを有する電気信号を抽出するための特定波形抽出回路４８と、この特定波形抽出回路４８により抽出された電気信号に対して波形整形処理を施し、Ｉ／Ｏ回路５２の信号レベルに対応する電気信号に変換し、その電気信号を受信データとしてＩ／Ｏ回路５２に送信する波形整形回路５０とを備えており、Ｉ／Ｏ回路５２は、波形整形回路５０から送信されてきた受信データを情報処理回路２２に送信する機能を有している。
【００２８】
そして、トランシーバ２１は、このＩ／Ｏ回路５２に接続されており、情報処理回路２２からＩ／Ｏ回路５２を介して入力された送信データを所定の電気信号を用いて変調し、その電気信号を送信電極５６に送信する送信部５４を備えている。
【００２９】
図３は、特定波形抽出回路４８の概略構成を示す図である。
【００３０】
図３に示すように、特定波形抽出回路４８は、複数の電極パッド３（１，１）〜３（ｍ，ｎ）それぞれに対応する複数の電気信号それぞれの波形パターンを表す波形パターン情報（例えば、周波数ｆ（１，１）〜ｆ（ｍ，ｎ）を、電極パッド３（１，１）〜３（ｍ，ｎ）それぞれの識別情報（例えば、電極パッド３（１，１）〜３（ｍ，ｎ）の識別情報を３（１，１）〜３（ｍ，ｎ）とする）に対応付けて保持する対応テーブルＴを記憶するテーブル記憶部６１と、信号処理回路４６により信号処理された電気信号を、テーブル記憶部６１に記憶された対応テーブルＴを参照して波形分離して特定の波形パターンを有する電気信号を抽出し、抽出した電気信号を波形整形回路５０に送信する波形抽出部６２とを備えている。
【００３１】
また、通信機器１１は、図４に示すように、各情報送受信部１２ａ（１，１）〜１２ａ（ｍ，ｎ）のＩ／Ｏ回路３０に通信可能に接続されており、各情報送受信部１２ａ（１，１）〜１２ａ（ｍ，ｎ）と通信機器１１との間のデータ送受信に関するインタフェース処理を行う入出力インタフェース７０と、この入出力インタフェース７０に通信可能に接続されたＣＰＵ７１と、このＣＰＵ７１に接続されており、ＣＰＵ７１を動作させるためのプログラムが記録されたメモリ７２とを備えている。
【００３２】
さらに、通信機器１１は、図４に示すように、予め通信機器１１に対して登録されており、その通信機器１１を利用可能な複数のユーザそれぞれに対応する複数のユーザそれぞれの個別の情報（例えば、ＩＤ・パスワード等の認証情報；登録ユーザ情報）を、ユーザそれぞれの複数の電極パッド３（１，１）〜３（ｍ，ｎ）の選択パターンを表す選択パターン情報に対応付けて保持する対応テーブルＴ１を記憶するテーブル記憶部７３を備えている。
【００３３】
例えば、複数の電極パッドを３（１，１）〜３（３０，３０）とした場合、あるユーザは、上記登録ユーザ情報を入力する際に選択するパッドとして、５個の電極パッド３（１，１）、３（３，５）、３（１５，２１）、３（２７，３）、３（３０，３０）を表す選択パターン情報がそのユーザの登録ユーザ情報に対応付けられて対応テーブルＴ１に保持されている。
【００３４】
ＣＰＵ７１は、入出力インタフェース７０を介して送られた電気信号を受信し、テーブル記憶部７３に記憶された対応テーブルＴ１を参照して、ユーザの認証処理を行うようになっている。
【００３５】
次に、本実施形態の全体動作について説明する。
【００３６】
最初に、通信機器１１から情報入出力装置１を介してトランシーバ２１側へ情報を送信する場合について説明する。
【００３７】
通信機器１１から情報入出力装置１を介してトランシーバ２１側へ情報を送信する場合においては、予め各情報送受信部１２ａ（１，１）〜１２ａ（ｍ，ｎ）の送信部３２の処理により、各電極パッド３（１，１）〜３（ｍ，ｎ）の送受信電極５には、各電極パッド毎に異なる波形パターンを有する電圧信号に対応する電界が誘起されている。
【００３８】
このとき、生体２０は、自らの例えば右手の指（２０ａ１〜２０ａ５）を情報入出力装置１における所望の５個の電極パッド３（ｘ１，ｙ１）〜３（ｘ５，ｙ５）に接触させる。なお、１≦ｘ１≦ｍ、１≦ｙ１≦ｎとする。
【００３９】
この生体２０と電極パッド３（ｘ１，ｙ１）〜３（ｘ５，ｙ５）とが接触すると（図５参照）、その電極パッド３（ｘ１，ｙ１）〜３（ｘ５，ｙ５）が接触している送受信電極５に誘起された電界に基づいて、生体２０内には、電極パッド３（ｘ１，ｙ１）〜３（ｘ５，ｙ５）に対応する電界Ｅ（ｘ１，ｙ１）〜Ｅ（ｘ５，ｙ５）が誘起される。
【００４０】
生体２０内に誘起された電界Ｅ（ｘ１，ｙ１）〜Ｅ（ｘ５，ｙ５）は、生体２０内を伝達して、生体２０に接触された絶縁膜３９を介して互いに重畳した状態でトランシーバ２１の受信電極４０に受信される。
【００４１】
受信電極４０により受信された重畳電界は、電界検出光学部４４により重畳電気信号として検出され、検出された重畳電気信号は、信号処理回路４６を介して信号処理が施された後、特定波形回路４８に送信される。
【００４２】
このとき、特定波形抽出回路４８における波形抽出部６２は、重畳電気信号を受信し、対応テーブルＴの電極パッド毎の波形パターン情報｛周波数ｆ（ｘ１，ｙ１）〜ｆ（ｘ５，ｙ５）｝を参照して、受信した重畳電気信号から、電極パッド３（ｘ１，ｙ１）〜３（ｘ５，ｙ５）それぞれに対応する電気信号｛電界Ｅ（ｘ１，ｙ１）〜Ｅ（ｘ５，ｙ５）に対応する電気信号｝を波形分離して抽出し、抽出した電極パッド３（ｘ１，ｙ１）〜３（ｘ５，ｙ５）それぞれに対応する電気信号を波形整形回路５０に送信する。
【００４３】
波形整形回路５０を介して波形整形された電極パッド３（ｘ１，ｙ１）〜３（ｘ５，ｙ５）それぞれに対応する電気信号は、Ｉ／Ｏ回路５２を介して情報処理回路２２に送信され、情報処理回路２２において利用される。
【００４４】
以上述べたように、本実施形態によれば、通信機器１１から情報入出力装置１を介してトランシーバ２１側へ情報を送信する場合、生体２０が接触した複数の送受信電極に対応する複数の電気信号を、送信情報として同時にトランシーバ２１へ送信することができ、トランシーバ２１側において、異なる電極パッド毎の情報としてそれぞれ識別して受信処理することができる。
【００４５】
次に、トランシーバ２１から通信機器１１へ情報入出力装置１を介して情報を送信する場合について説明する。
【００４６】
この場合、通信機器１１は、生体２０に対応するユーザに装着されたトランシーバ２１側から送られた登録ユーザ情報に基づいて、その通信機器１１を利用できるユーザか否かを認証する機能（セキュリティ機能）を有する場合について説明する。
【００４７】
通信機器１１を利用して所望の処理（例えば上記認証処理）を利用する場合、その通信機器１１の所望の処理を利用したい生体２０であるユーザに装着された情報処理回路２２からＩ／Ｏ回路５２を介して、自らの登録ユーザ情報がトランシーバ２１の送信部５４に送信され、この送信部５４を介して電気信号として送信電極５６に送信される。
【００４８】
この結果、送信電極５６には、送信電気信号に対応する電界が誘起されている。
【００４９】
このとき、ユーザは、自らの例えば右手の指（２０ａ１〜２０ａ５）を情報入出力装置１における、自ら記憶したパッドパターンに対応する所定の電極パッド３（ｘ１０，ｙ１０）〜３（ｘ１５，ｙ１５）に接触させる。
【００５０】
この生体２０と電極パッド３（ｘ１０，ｙ１０）〜３（ｘ１５，ｙ１５）とが接触すると（図５参照）、その電極パッド３（ｘ１０，ｙ１０）〜３（ｘ１５，ｙ１５）が接触している送信電極５６に誘起された電界に基づいて、生体２０内には、電極パッド３（ｘ１０，ｙ１０）〜３（ｘ１５，ｙ１５）に対応する電界Ｅ（ｘ１０，ｙ１０）〜Ｅ（ｘ１５，ｙ１５）が誘起される。
【００５１】
生体２０内に誘起された電界Ｅ（ｘ１０，ｙ１０）〜Ｅ（ｘ１５，ｙ１５）は、生体２０内を伝達して、上記選択された電極パッド３（ｘ１０，ｙ１０）〜３（ｘ１５，ｙ１５）に対応する情報送受信部１２ａ（ｘ１０，ｙ１０）〜１２ａ（ｘ１５，ｙ１５）の絶縁膜６を介して、送受信電極５に受信される。
【００５２】
情報送受信部１２ａ（ｘ１０，ｙ１０）〜１２ａ（ｘ１５，ｙ１５）の送受信電極５に受信された電界Ｅ（ｘ１０，ｙ１０）〜Ｅ（ｘ１５，ｙ１５）は、それぞれ電界検出光学部３４により電気信号として検出され、検出された電気信号は、情報送受信部１２ａ（ｘ１０，ｙ１０）〜１２ａ（ｘ１５，ｙ１５）それぞれの信号処理回路３６を介して信号処理が施された後、波形整形回路３８に送信される。
【００５３】
情報送受信部１２ａ（ｘ１０，ｙ１０）〜１２ａ（ｘ１５，ｙ１５）の波形整形回路３８によりそれぞれ波形整形された電気信号は、Ｉ／Ｏ回路３０を介して通信機器１１にそれぞれ送信される。
【００５４】
このとき、通信機器１１のＣＰＵ７１は、メモリ７２に記憶されたプログラムに従って、以下に示す処理を実行する。
【００５５】
すなわち、ＣＰＵ７１は、複数の電極パッド３（ｘ１０，ｙ１０）〜３（ｘ１５，ｙ１５）に対応する情報送受信部１２ａ（ｘ１０，ｙ１０）〜１２ａ（ｘ１５，ｙ１５）を介してそれぞれ送信されてきたデータ（電気信号）を受信し（図６；ステップＳ１）、受信したデータに対応する情報がテーブル記憶部７３の対応テーブルＴ１内に存在するか否か判断する（ステップＳ２）。
【００５６】
このとき、受信したデータに対応する情報が対応テーブルＴ１内にユーザ登録情報として存在しない場合（ステップＳ２→ＮＯ）、ＣＰＵ７１は、対応する処理の実行を拒否して、登録ユーザ情報の再送を図示しない表示部や音声出力部を介して促す（ステップＳ３）。
【００５７】
一方、受信したデータに対応する情報が対応テーブルＴ１内にユーザ登録情報として存在する場合（ステップＳ２→ＹＥＳ）、ＣＰＵ７１は、その存在するユーザ登録情報に対応する電極パッドパターンが受信データに対応する電極パッドパターン｛すなわち、電極パッド３（ｘ１０，ｙ１０）〜３（ｘ１５，ｙ１５）｝と一致するか否か判断する（ステップＳ４）。
【００５８】
このとき、ユーザ登録情報に対応する電極パッドパターンと、受信データに対応する電極パッドパターンとが一致しない場合、ＣＰＵ７１は、登録ユーザの電極パッド選択ミスか、あるいは登録されたユーザ以外の不正ユーザが登録ユーザ情報のみを知り得て通信機器１１を不正利用するものと判断し、対応する処理の実行を拒否して、登録ユーザ情報の再送を表示部や音声出力部を介して促す（ステップＳ３）。
【００５９】
一方、ステップＳ４の判断の結果、ユーザ登録情報に対応する電極パッドパターンと、受信データに対応する電極パッドパターンとが一致する場合、ＣＰＵ７１は、登録ユーザによる通信機器１１の正規利用と判断し、登録ユーザに対応する処理（例えば、通信機器１１に電気的に接続されたドアロックの開錠処理や、通信機器１１に登録された情報の読出し処理等、認証が必要な処理）を実行する（ステップＳ５）。
【００６０】
この結果、通信機器１１の利用権限のないユーザが登録ユーザ情報の内容を不正に知り得て、その登録ユーザ情報をトランシーバ２１、情報入出力装置１等を介して通信機器１１に送信したとしても、通信機器１１側のＣＰＵ７１は、送信されてきた登録ユーザ情報の認証処理の他に、上記登録ユーザ情報送信時にユーザが選択して接触する電極パッドパターンが真のユーザのパターンと一致しているか否か判断することができる。
【００６１】
したがって、たとえユーザ登録情報を不正ユーザが不正に知り得た場合でも、その不正ユーザの通信機器１１の利用を拒否することができる。
【００６２】
すなわち、情報処理回路２２からトランシーバ２１および情報入出力装置１を介して通信機器１１側へ情報を送信する場合、生体２０が接触した複数の電極パッドにおける複数の送受信電極に対応する複数の電気信号を、対応する情報送受信部を介して同時に通信機器１１側へ送信することができる。
【００６３】
特に、本実施形態で例示したように、通信機器１１がその通信機器１１を利用できるユーザか否かを認証する機能（セキュリティ機能）を有する場合においては、情報入出力装置１の電極パッド選択パターンを通信機器１１内においてユーザ毎に予め記憶しておくことにより、通信機器１１へ送信されたデータの認証処理に加えて、ユーザの電極パッド選択パターンの照合処理により通信機器１１の利用権限のある真のユーザであるか否か判断することができる。
【００６４】
したがって、通信機器１１の利用に関する２重のセキュリティを構築することができ、通信機器１１の不正利用に対する安全性（セキュリティ性）を向上させることができる。
【００６５】
また、本実施形態においては、情報入出力装置１の電極パッド３（１，１）〜３（ｍ，ｎ）それぞれに個別に意味（例えば、検索条件等）を持たせておくことにより、トランシーバ２１から通信機器１１に対して、アンド検索条件を表す情報等を非常に容易に送信することが可能になる。
【００６６】
なお、本実施形態では、情報入出力装置１における各電極パッド３（１，１）〜３（ｍ，ｎ）を略円筒状に形成したが、図７に示す変形例としての情報入出力装置１ａに示すように、ケース２ａに設けられる各電極パッド３ａ（１，１）〜３ａ（ｍ，ｎ）を略方形体状（すなわち、送受信電極５ａ、絶縁膜６ａが方形体状）に形成してもよい。
【００６７】
また、情報入出力装置１、１ａにおいては、電極パッド３（１，１）〜３（ｍ，ｎ）をマトリクス状に配設したが、本発明はこれに限定されるものではなく、例えば直線状に配設することも可能である。
【００６８】
さらに、情報入出力装置１、１ａにおいては、複数の送受信用電極部である電極パッド３（１，１）〜３（ｍ，ｎ）は、複数の送受信用の送受信電極５を備えていたが、本発明はこれに限定されるものではない。
【００６９】
例えば、図８に示す変形例としての情報入出力装置１ｂに選択された電極パッドとして示すように、各電極パッド３（１，１）〜３（ｍ，ｎ）は、送信用電極５ｂ１と、送信用電極５ｂ１に対応し、かつ送信用電極５ｂ１とは非接触な状態で配置された受信用電極５ｂ２と、この互いに対応する送信用電極５ｂ１および受信用電極５ｂ２上を被覆する絶縁膜６とを備えている。
【００７０】
このように情報入出力装置における電極パッドについては、その送信電極、受信電極、絶縁膜の形状等について様々な変形例が適用可能である。
【００７１】
また、生体は、自らの例えば右手の指を情報入出力装置における所望の５個の電極パッドに接触させたが、パッドの数は５個に限らず、例えば両手を使う場合、最小１〜最大１０個のパッドを同時に接触させることができる。
【００７２】
さらに、本実施形態では、トランシーバにおける送信電極および受信電極を異なるものとしたが、本発明はこれに限定されるものではなく、送信電極および受信電極を一体化してもよい。
【００７３】
【発明の効果】
以上説明したように、本発明の情報送受信システムによれば、送信対象となる複数の情報に対応する複数の電気信号を複数の送受信用電極部にそれぞれ送信して、前記複数の電気信号それぞれに対応する複数の電界を前記複数の送受信用電極部それぞれに誘起させておくことにより、電界伝達媒体により、前記複数の送受信用電極部の内の何れか１つの送受信用電極部が選択して接触された場合に、選択された送受信用電極部に誘起された電界に基づいて当該電界伝達媒体に誘起された電界をトランシーバの電極を介して受信することができる。
【００７４】
また、送信対象となる情報に対応する電気信号を当該トランシーバの電極に送信して、前記電気信号に対応する電界を前記電極に誘起させておくことにより、前記電界伝達媒体により前記複数の送受信用電極部における何れか１つの送受信用電極部が選択して接触された際に、前記トランシーバの電極に誘起された電界に対応して当該電界伝達媒体に誘起された電界を前記選択された送受信用電極部を介して受信し、通信機器に送信することができる。
【００７５】
したがって、トランシーバおよび電界伝達媒体を用いて複数の情報を同時に送信し、または同時に受信することが可能になる。
【図面の簡単な説明】
【図１】本発明に係る情報送受信システムにおける情報入出力装置の概略構成を示す斜視図。
【図２】図１に示す情報入出力装置を用いた情報送受信システムの概略構成を示す図。
【図３】図２に示す特定波形抽出回路の概略構成を示す図。
【図４】図２に示す通信機器の概略構成を示す図。
【図５】図１に示す情報入出力装置１の複数の電極パッドに生体が接触した状態を示す斜視図。
【図６】図４に示す通信機器のＣＰＵの処理の一例を示す概略フローチャート。
【図７】本発明の実施の形態に係わる情報入出力装置の変形例の概略構成を示す斜視図。
【図８】本発明の実施の形態の変形例に係わる情報入出力装置を用いた情報送受信システムの概略構成を示す図。
【符号の説明】
１、１ａ、１ｂ　情報入出力装置
２、２ａ　ケース
３（１，１）〜３（ｍ，ｎ）、３ａ（１，１）〜３ａ（ｍ，ｎ）　電極パッド
５、５ａ　送受信用電極
６、６ａ　絶縁膜
１０　情報送受信システム
１１　通信機器
１２ａ（１，１）〜１２（ｍ，ｎ）　情報送受信部
２０　生体
２１　トランシーバ
２２　情報処理回路
３０、５２　Ｉ／Ｏ回路
３２、５４　送信部
３３、４２　受信部
３４、４４　電界光学検出部
３６、４６　信号処理回路
３８、５０　波形整形回路
３９、５８　絶縁膜
４０　受信電極
４８　特定波形抽出回路
５６　送信電極
３４　電界光学検出部
３６　信号処理回路
３８　波形整形回路
６１、７３　テーブル記憶部
６２　波形抽出部
７０　入出力インタフェース
７１　ＣＰＵ
７２　メモリ
Ｔ、Ｔ１　対応テーブル
【図１】
2004135075.tif 000003
【図２】
2004135075.tif 000004
【図３】
2004135075.tif 000005
【図４】
2004135075.tif 000006
【図５】
2004135075.tif 000007
【図６】
2004135075.tif 000008
【図７】
2004135075.tif 000009
【図８】
2004135075.tif 000010